(57)【要約】【課題】無線増設親機と有線増設親機とを簡易な方法で安価に組み込むことができ、電気錠などの設備機器と連携させ、インターホン親機、有線増設親機、無線増設親機において、設備機器の制御、状態監視を行えるインターホンシステムを提供する。【解決手段】無線アダプタ３を、ドアホン子器１とは直接接続せず、インターホン親機２と有線増設親機４との接続ラインＬ上に有線接続し、インターホン親機２には、少なくとも設備機器７，８を制御するコントローラ１０が接続付加されており、コントローラ１０は、設備機器制御、設備機器状態監視をさせるために、インターホン親機２、有線増設親機４、無線増設親機５のいずれかと通信を行うことを特徴とする。【選択図】図１
2006270775.tif 000002
【特許請求の範囲】
【請求項１】
インターホン親機と、このインターホン親機と通信するドアホン子器と、上記インターホン親機と有線接続する無線アダプタと、上記インターホン親機または上記ドアホン子器との間で無線アダプタを介して無線通信を行う無線増設親機と、上記インターホン親機と有線接続する有線増設親機とを備えたインターホンシステムにおいて、
上記無線アダプタを、上記ドアホン子器とは直接接続せず、上記インターホン親機と上記有線増設親機との接続ライン上に有線接続し、
上記インターホン親機には、少なくとも設備機器を制御するコントローラが接続付加されており、上記コントローラは、設備機器制御、設備機器状態監視をさせるために、上記インターホン親機、上記有線増設親機、上記無線増設親機のいずれかと通信を行うことを特徴とする、インターホンシステム。
【請求項２】
請求項１において、
上記無線アダプタは、上記インターホン親機に信号線で渡り接続された最終段の有線増設親機に、更に信号線で渡り接続されている構成とした、インターホンシステム。
【請求項３】
請求項１または２において、
上記設備機器は、電気錠であることを特徴とするインターホンシステム。
【発明の詳細な説明】
【技術分野】
【０００１】
本発明は、無線アダプタを介して、ドアホン子器、インターホン親機、有線増設親機と無線通信する無線増設親機を備えたインターホンシステムに関するものである。
【背景技術】
【０００２】
従来のインターホンシステムには、インターホン親機と有線で接続した有線増設親機の他に、無線の増設親機を備えるものがある。無線増設親機を備えたシステムとしては、ドアホン子器やインターホン親機と通信するために、無線アダプタを備えたものが知られている。
【０００３】
図４、図５は、この種の無線アダプタを備えたインターホンシステムの例である。図４は特許文献１、図５は特許文献２に記載されたシステムを示したものである。
【０００４】
図４のシステムは、カメラ付きドアホン子器１０１と、モニタ付きインターホン親機１０２とが信号線Ｌで接続され、さらにモニタ付き無線増設親機１０４と、無線アダプタ１０３とを備えたハンズフリーインターホンシステムである。なお、図中の１０３ｎ、１０４ｎはそれぞれ、無線アダプタ１０３、モニタ付き無線増設親機１０４のアンテナを示す。
【０００５】
カメラ付きドアホン子器１０１と有線で接続されるモニタ付きインターホン親機１０２は、カメラ付きドアホン子器１０１から伝送された音声信号と映像信号を無線アダプタに出力する音声出力端子１０２ｂと、ドアホン子器１０１のカメラから伝送されてくる映像信号を送出する映像出力端子１０２ｃと、無線アダプタ１０３から音声信号を入力する音声入力端子１０２ａと、無線アダプタ１０３と制御信号をやりとりする制御端子１０２ｄとを有している。
【０００６】
また無線アダプタ１０３は、モニタ付きインターホン親機１０２の音声出力端子１０２ｂと接続される音声入力端子１０３ｂ、モニタ付きインターホン親機１０２の映像出力端子１０２ｃと接続される映像入力端子１０３ｃ、モニタ付きインターホン親機１０２の制御端子１０２ｄと接続される制御端子１０３ｄ、モニタ付きインターホン親機１０２の音声入力端子１０２ａと接続される音声出力端子１０３ａを備える。
【０００７】
無線アダプタ１０３は、インターホン親機１０２側から入力される音声信号と映像信号と制御信号とをモニタ付き無線増設親機１０４に無線送信し、モニタ付き無線増設親機１０４から無線送信される音声信号と制御信号とを受信して、それぞれを音声出力端子１０３ａ、制御端子１０３ｄに出力する。
【０００８】
そして、モニタ付き無線増設親機１０４は、無線アダプタ１０３から無線送信される音声信号と映像信号とを受信し、音声信号を無線アダプタ１０３に無線送信し、これらの動作によって、有線増設親機１０４側では、ドアホン子器１０１の呼出に応答して、来客の映像を見ながら所定時間の通話が可能となる。
【０００９】
また図６のシステムは、インターホン親機２０２とドアホン子器２０１とが信号線Ｌにより有線接続され、それらの間に、信号線Ｌによって無線アダプタ２０３が接続され、さらに、無線アダプタ２０３と無線通信可能な少なくとも１台の無線増設親機２０４とを備えている。無線アダプタ２０３がドアホン子器２０１からの呼出信号を無線増設親機２０４に無線送信するとともに、無線増設親機２０４との間で通話信号を送受信し、ドアホン子器２０１からの呼出及び応答通話を行っている。
【００１０】
なお、図中の２０３ｎ、２０４ｎはそれぞれ、無線アダプタ２０３、無線増設親機２０４のアンテナを示す。
【特許文献１】特開２００４−１４７２１５号公報
【特許文献２】特開２０００−２２４３１６号公報
【発明の開示】
【発明が解決しようとする課題】
【００１１】
しかしながら、上述した図５のシステムにおいて、有線増設親機と無線増設親機を加えたインターホンシステムを構成する場合、インターホン親機には、有線増設親機を接続するための接続端子に加えて、無線アダプタを接続するための専用端子を設ける必要があるため、インターホン親機のコストが高くなり、また、インターホン親機のサイズが大きくなってしまうといった問題がある。
【００１２】
また、上述した図６のシステムにおいては、無線アダプタをドアホン子器、インターホン親機間の信号線に接続しているため、例えば３階建て住宅の３階居室等、玄関から遠い場所に無線ユニットを設置する場合には配線距離が長くなり、配線形態が複雑になってしまうといった問題や、無線ユニットの設置場所に制約が出てしまうといった問題がある。
【００１３】
更に、図５，６に示すような無線対応型のシステムにおいては、電気錠などの設備機器とは連携しておらず、インターホン親機、有線増設親機、無線増設親機において、電気錠の開閉制御、状態監視ができず不便であった。
【００１４】
本発明は、上記の点に鑑みて提案されたものであり、第１の目的は、無線増設親機と有線増設親機と簡易な方法で安価に組み込むことができるインターホンシステムを提供すること、第２の目的は、電気錠などの設備機器と連携させ、インターホン親機、有線増設親機、無線増設親機において、設備機器の制御、状態監視を行えるようにすることにある。
【課題を解決するための手段】
【００１５】
上記目的を達成するために、請求項１に記載のインターホンシステムは、無線アダプタを、ドアホン子器とは直接接続せず、インターホン親機と有線増設親機との接続ライン上に有線接続し、インターホン親機には、少なくとも設備機器を制御するコントローラが接続付加されており、コントローラは、設備機器制御、設備機器状態監視をさせるために、インターホン親機、有線増設親機、無線増設親機のいずれかと通信を行うことを特徴とする。
【００１６】
請求項２に記載のインターホンシステムは、無線アダプタは、インターホン親機に信号線で渡り接続された最終段の有線増設親機に、更に信号線で渡り接続されている構成としている。
【００１７】
請求項３に記載のインターホンシステムは、設備機器は、電気錠であることを特徴とする。
【発明の効果】
【００１８】
本発明によれば、無線増設親機を有線増設親機に混在させて、有線システムを無線対応システムとして構築できるインターホンシステムを実現できるといった効果を有する。
【００１９】
具体的には、無線アダプタを、インターホン親機と有線増設親機との渡り配線の信号線上に有線接続させているため、有線増設親機も含むインターホンシステムに適用した際には、有線増設親機を接続するための端子とは別に、インターホン親機に無線アダプタを接続するための専用端子を増設する必要がなく、親機のコストダウンや小型化を実現できる。
【００２０】
また、無線アダプタは、ドアホン子器とはインターホン親機を介して接続されるため、例えば３階建て住宅の３階居室等、玄関から遠い場所に無線アダプタを設置する場合においても、配線距離の長距離化や配線形態の複雑化を防止することができ、無線アダプタの設置場所に制約が出ないインターホンシステムを提供できる。
【００２１】
更に、インターホン親機、有線増設親機、無線増設親機のいずれかにおいて、設備機器の制御、状態の監視が行える。
【００２２】
また、請求項２では、無線アダプタは、インターホン親機に信号線で渡り接続された最終段の有線増設親機に、さらに信号線で渡り接続されているため、端子数を複数設ける必要がなく、無線アダプタのコストダウンや小型化も実現できる．
更に、請求項３によれば、設備機器としての電気錠の制御、状態の監視が行え、利便である。
【発明を実施するための最良の形態】
【００２３】
以下に、本発明の実施の形態について、添付図面を参照しながら説明する。
【００２４】
なお、居室内のインターホン親機、有線増設親機および無線増設親機は、ハンドセット、ハンズフリーのいずれのインターホンを用いたシステムにも適用が可能である。
【００２５】
また、実施例では、ドアホン子器のカメラで撮像した映像を親機側でモニタするテレビインターホンシステムを示しているが、音声通話のみが可能なインターホンにも適用可能なことはいうまでもない。
【実施例１】
【００２６】
図１は、本発明のインターホンシステムの構成を示すブロック図である。また、図２は、図１で示したインターホンシステムを構成する機器の各構成要素を示す回路ブロック図である。
【００２７】
図１、図２に示したインターホンシステムは、インターホン親機２と、インターホン親機２に有線接続されたドアホン子器１と、有線増設親機４と、インターホン親機２または有線増設親機４に有線接続するための２つの接続端子３ｔａ、３ｔｂとを有する無線アダプタ３と、無線増設親機５とを備えており、更に、設備機器制御と連動させるため、設備機器として、門扉などに設置される電気錠７と、門扉開閉状態を検出する門扉開閉センサ８とを設け、電気錠７を施錠、開錠するためのシークレットスイッチ９と、電気錠７を制御するとともに、電気錠７，門扉開閉センサ８の状態を監視するコントローラ１０とにより構成される。
【００２８】
なお、設備機器は、電気錠７や門扉開閉センサ８には限定されず、照明装置、空調装置、防犯センサなどであってもよい。
【００２９】
ここで、無線アダプタ３は、インターホン親機２が複数台の有線増設親機４、４を設置するために設けている２線式の信号線Ｌ上に、有線増設親機４、４と混在して渡り配線で接続される形で配置される。
【００３０】
後述するように、この信号線Ｌには、カメラ電源をベースにして、それぞれに周波数帯を区分した制御信号、音声信号、映像信号、設備機器の状態通知信号が周波数多重化方式で重畳されたものが伝送されるが、映像信号を伝送する同軸ケーブル、設備機器の状態通知信号、制御信号、音声信号、電源を伝送する信号線、電源線で接続したものであってもよい。
【００３１】
次に、システムを構成する各機器の構成と動作について説明する。
【００３２】
ドアホン子器１は、スピーカ１ｂと、マイク１ｄと、スピーカアンプ１ｃと、マイクアンプ１ｅと、来客者の姿を捉えるカメラ１ｆと、呼出釦１ｇと、信号処理部１ａとを備える。
【００３３】
マイク１ｄから出力されマイクアンプ１ｅで増幅される音声信号と、カメラ１ｆから出力される映像信号と、呼出釦１ｇの操作により発生する制御信号は、信号処理部１ａによって多重化されて、伝送路（信号線Ｌ）に送出される。また、インターホン親機２からは音声信号と制御信号が電源とともに伝送路に送出されており、信号処理部１ａは、インターホン親機２から送出される多重化された信号を分離する。分離された音声信号は、スピーカアンプ１ｃで増幅された後スピーカ１ｂから出力される。
【００３４】
インターホン親機２は、スピーカ２ｂと、マイク２ｄと、スピーカアンプ２ｃと、マイクアンプ２ｅと、モニタ２ｆと、操作釦２ｇと、内線呼出釦２ｈと、電気錠操作釦２ｉと、電気錠状態表示ランプ２ｊと、門扉状態表示ランプ２ｋと、信号処理部２ａとを備える。
【００３５】
ドアホン子器１から送出される多重化された信号は、信号処理部２ａにて、音声信号、映像信号、制御信号に分離され、音声信号はスピーカアンプ２ｃで増幅された後、スピーカ２ｂに出力され、映像信号はモニタ２ｆに出力される。また、マイク２ｄから出力された音声信号はマイクアンプ２ｅで増幅された後、操作釦２ｇの操作により発生する制御信号と、信号処理部２ａにて多重化され、電源に重畳されて伝送路に送出される。
【００３６】
さらに、インターホン親機２は、ドアホン子器１と無線増設親機５が通信を行う際には、ドアホン子器１から送出される信号を信号処理部２ａより無線アダプタ３に出力し、無線アダプタ３により送出される信号を信号処理部２ａよりドアホン子器１に送出する機能を有する。インターホン親機２と無線増設親機５が通信を行う際には、マイク２ｄから出力される音声信号と制御信号を信号処理部２ａにて処理した後、無線アダプタ３に出力し、無線アダプタ３により送出される信号を信号処理部２ａにて処理した後にスピーカアンプ２ｃを介してスピーカ２ｂに出力する機能を有する。
【００３７】
さらに、インターホン親機２では、信号処理部２ａは、接続端子２ｔｃを通じてコントローラと制御信号、状態信号の送受を行って、電気錠操作釦２ｉの操作により、電気錠７を施錠、解錠を行い、コントローラ１０が監視する電気錠７、門扉開閉状態を受け手、電気錠状態表示ランプ２ｊ、門扉状態表示ランプ２ｋを表示させる。
【００３８】
無線アダプタ３は、２つの接続端子３ｔａ、３ｔｂと、信号処理部３ａと、無線部３ｒと、無線部３ｒに付随するアンテナ３ｎとを有し、インターホン親機２から送出された音声信号、映像信号、制御信号を信号処理部３ａにて信号処理を行った後、無線部３ｒにて変調してアンテナ３ｎから送信する。また、無線増設親機５から送信された音声信号、制御信号をアンテナ３ｎで受信し、無線部３ｒで復調した後、信号処理部３ａを介してインターホン親機２に信号を送出する。
【００３９】
無線増設親機５は、スピーカ５ｂと、マイク５ｄと、スピーカアンプ５ｃと、マイクアンプ５ｅと、モニタ５ｆと操作釦５ｇと、内線呼出釦５ｈと、電気錠操作釦５ｉと、電気錠状態表示ランプ５ｊと、門扉状態表示ランプ５ｋと、信号処理部５ａと、無線部５ｒと、無線部５ｒに付随するアンテナ５ｎとを備え、通話時においては、無線アダプタ３から送信された音声信号、映像信号、制御信号をアンテナ５ｎで受信し、無線部５ｒにて復調し信号処理部５ａで処理した後、音声信号をスピーカ５ｂに出力し、映像信号をモニタ５ｆに出力する。また、マイク５ｄから出力される音声信号と制御信号を信号処理部５ａにて処理した後、無線部５ｒにて変調してアンテナ５ｎから送信する。
【００４０】
また、この無線増設親機５では、信号処理部５ａは、有線増設親機４、インターホン親機２を通じてコントローラ１０と制御信号、状態信号の送受を行って、電気錠操作釦５ｉの操作により、電気錠７を施錠、解錠を行い、コントローラ１０が監視する電気錠７、門扉開閉状態を受けて、電気錠状態表示ランプ５ｊ、門扉状態表示ランプ５ｋを表示させる。
【００４１】
有線増設親機４は、スピーカ４ｂと、マイク４ｄと、スピーカアンプ４ｃと、マイクアンプ４ｅと、モニタ４ｆと、操作釦４ｇと、内線呼出釦４ｈと、電気錠操作釦４ｉと、電気錠状態表示ランプ４ｊと、門扉状態表示ランプ４ｋと、信号処理部４ａとを備える。
【００４２】
有線増設親機４では、インターホン親機２から送出される多重化された信号は、信号処理部４ａにて、音声信号、映像信号、制御信号に分離され、音声信号はスピーカアンプ４ｃで増幅された後、スピーカ４ｂに出力され、映像信号はモニタ４ｆに出力される。また、マイク４ｄから出力された音声信号はマイクアンプ４ｄで増幅された後、操作釦４ｇの操作により発生する制御信号と信号処理部４ａにて多重化され、電源に重畳されて伝送路に送出される。
【００４３】
また、この有線増設親機４では、信号処理部４ａは、インターホン親機２を通じてコントローラ１０と制御信号、状態信号の送受を行って、電気錠操作釦５ｉの操作により、電気錠７を施錠、解錠を行い、コントローラ１０が監視する電気錠７、門扉開閉状態を受け手、電気錠状態表示ランプ４ｊ、門扉状態表示ランプ４ｋを表示させる。
【００４４】
次に、上記インターホンシステムの基本動作を、来客のドアホン子器１からの呼出と、親機１、４、５間の内線呼出とに分けて説明する。
【００４５】
まず、ドアホン子器１からの呼出と、それにともなう応答、通話、モニタについて説明する。
【００４６】
ドアホン子器１からインターホン親機２を呼び出すと、インターホン親機２、有線増設機器４、無線増設機器５から呼出音が出力される。いずれかで応答すると、インターホン親機２は、応答した機器とドアホン子器１とを接続して、通話を可能とする。
【００４７】
より具体的には、来客がドアホン子器１の呼出釦１ｇを操作して呼出をしたときは、待機電圧がレベルダウンすることをインターホン親機２で検知する。呼出信号がインターホン親機２で検知されると、インターホン親機２は、有線増設親機４と無線アダプタ３に通知し、さらに無線アダプタ３からの無線信号にて無線増設親機５に伝達される。
【００４８】
その後、例えば無線増設親機５が応答すると、無線増設親機５は、無線アダプタ３経由で、ドアホン子器１側の音声と映像が多重化された信号を無線信号にて受信し、結果として、無線増設親機５のスピーカ５ｂにはドアホン子器１側の音声が出力され、無線増設親機５のモニタ５ｆにはドアホン子器１側の映像が出力される。逆に、無線増設親機５は、マイク５ｄに入力された音声信号を無線信号にて送信し、結果として、ドアホン子器１のスピーカ１ｂには無線増設親機５側の音声が出力される。
【００４９】
なお、秘話機能を有する場合には、ドアホン子器１からの呼出に対して、インターホン親機２、有線増設親機４、無線増設親機５のいずれかが応答すれば、インターホン親機２は、ドアホン子器１に対して、応答した機器のみと接続して、所定時間の通話を許容する。そして、所定時間のうちに通話が終了すれば、その時点で接続を遮断して、元の待機状態に戻る。
【００５０】
また、ドアホン子器１からの呼出に対する親機の鳴動を一斉に行わせるようにするため、インターホン親機２のスピーカ２ｂからの呼出を、無線増設親機５への通知の遅れと同じ時間の遅れをもって鳴動させるようにしてもよい。さらに、カメラ映像の伝送の遅れを考慮して、無線増設親機５が映像信号を受けたのちに、一斉鳴動させるようにしてもよい。
【００５１】
次に、親機間の内線呼出と、それにともなう応答、通話について説明する。
【００５２】
例えば、インターホン親機２から無線増設親機５への内線呼出の場合には、次のような動作が実行される。
【００５３】
居住者がインターホン親機２の内線呼出釦２ｈを操作して内線呼出をしたときは、内線呼出信号が無線アダプタ３を通じて、呼出先の無線増設親機５に呼出信号を送出し、呼出を受けた無線増設親機５が応答すると、無線アダプタ３経由で、インターホン親機２と呼び出された無線増設親機５との通話が開始される。
【００５４】
また、有線増設親機４から、他の有線増設親機４または無線増設親機５への内線呼出の場合は、いったんインターホン親機２が内線呼出信号を受けて、インターホン親機２が、呼出先が有線増設親機４の場合は有線増設親機４に対して呼出信号を送出し、呼出先が無線増設親機５の場合は無線アダプタ３を経由して無線増設親機５に呼出信号を送出する。呼出を受けた機器が応答すると、呼出元と呼出先との通話が開始される。
【００５５】
なお、インターホン親機２を介さずに、直接、呼出先に向けて信号を送出してもよい。その場合には、呼出元あるいは呼出先がインターホン親機２に対して、内線通話中の信号を送出する。
【００５６】
内線呼出には、１つの呼出釦で他の全親機を呼び出す一斉呼出と、個別の呼出釦で特定の親機を呼び出す個別呼出がある。
【００５７】
インターホン親機２からの一斉呼出では、インターホン親機２は、有線増設親機４、無線アダプタ３を介して無線増設親機５に対して、一斉呼出信号を送出する。それに対して、有線増設親機４、無線増設親機５のいずれかが応答すれば、その機器とインターホン親機２との間で通話が行われる。秘話機能を有する場合には、応答しなかった親機との接続は遮断される。
【００５８】
また、個別呼出の場合は、インターホン親機２は、呼出元の親機から呼出先を指定したアドレスを受け、呼出先のアドレスを指定した呼出信号を送出して、相手を呼び出す。
【００５９】
以上に説明したように、無線アダプタ３を、インターホン親機２と有線増設親機４との渡り配線の信号線Ｌ上に有線接続するものとしたため、有線増設親機４を接続するための端子とは別に、インターホン親機２に無線アダプタ３を接続するための専用端子を増設する必要がなく、親機のコストダウンや小型化を実現できる。
【００６０】
また、無線アダプタ３をドアホン子器１とは直接接続しないようにしているため、例えば３階建て住宅の３階居室等、玄関から遠い場所に無線アダプタ３を設置する場合においても、配線距離の長距離化や配線形態の複雑化を防止することができ、無線アダプタ３の設置場所に制約が出ないインターホンシステムを提供できる。
【００６１】
次に、インターホン親機２、有線増設親機４、無線増設親機５のコントローラ１０との連携した制御、監視動作について説明する。
【００６２】
コントローラ１０は、シークレットスイッチ９の操作により、あるいは、インターホン親機２からの制御信号の入力を受けて、電気錠７の施錠、解錠を行う。また、コントローラ１０は、電気錠７から施錠または解錠の確認信号を受け、電気錠７の施錠または解錠の状態をインターホン親機２に通知する。更に、門扉開閉センサ８からの検出信号を受けて、門扉開閉状態をインターホン親機２に通知する。
【００６３】
インターホン親機２は、コントローラ１０から、電気錠７の施錠または解錠の確認信号を受けて、電気錠状態表示ランプ２ｊを表示させ、門扉開閉状態を受けて、門扉状態表示ランプ２ｋを表示させる。
【００６４】
コントローラ１０からの電気錠解錠状態、門扉開閉状態は、インターホン親機２を通じて、有線増設親機４、無線増設親機５に送出され、それぞれにおいて、電気錠状態表示ランプ４ｊ，５ｊを表示、門扉状態表示ランプ４ｋ，５ｋを表示させる。
【００６５】
インターホン親機２、有線増設親機４、無線増設親機５では、電気錠操作釦２ｉ，４ｉ，５ｉを操作すれば、制御信号がコントローラ１０に送出され、コントローラ１０はこれを受けて、電気錠７を施錠、解錠する。
【００６６】
また、上記図１の例では、無線アダプタ３を、有線増設親機４、４間の信号線Ｌに配置させているが、信号線Ｌを渡り配線にしているため、無線アダプタ３を、インターホン親機２と有線増設親機４との信号線Ｌ上の任意の位置に接続することができる。例えば図３に示すように、無線アダプタ３を、信号線Ｌ上の終端に位置するよう配置してもよい。
【００６７】
なお、図３に示したインターホンシステムを構成する機器および動作については、図１に示したシステムと同様であるため、構成機器について同一の符号を付して説明を省略する。
【図面の簡単な説明】
【００６８】
【図１】本発明のインターホンシステムの構成を示すブロック図である
【図２】本発明のインターホンシステムを構成する機器の内部構成を示したブロック図である。
【図３】本発明のインターホンシステムの他例を示すブロック図である。
【図４】従来のインターホンシステムを示すブロック図である。
【図５】従来のインターホンシステムを示すブロック図である。
【符号の説明】
【００６９】
１      ドアホン子器
２      インターホン親機
３      無線アダプタ
４      有線増設親機
５      無線増設親機
７      設備機器
１０    コントローラ
Ｌ      信号線
【図１】
2006270775.tif 000003
【図２】
2006270775.tif 000004
【図３】
2006270775.tif 000005
【図４】
2006270775.tif 000006
【図５】
2006270775.tif 000007